(57)【要約】【課題】  従来、空調設備は振動発生機器に間隔を開け、その間隔に複数の防振装置を介装して接続し、遮蔽シートで覆っているが、現場毎に寸法に合わせて手作業で遮蔽シートを巻き付けており、気密性を保持させると共に外観形状を美しくするのは長年の経験を必要とする。【解決手段】  本考案は空調設備の遮蔽シート１であって、振動発生機器Ａの固定用枠体Ａａと固定される上方枠体Ｄと下方枠体Ｅとの間に並設された複数の防振装置Ｂと、防振装置の外方の接続部位と上方枠体の側面Ｄａと下方枠体の側面Ｅａとを覆う遮蔽シートに設けた間隔遮蔽部２と、間隔遮蔽部に上辺折込線３を介して延設した上方折込辺４と、下辺折込線５を介して延設した下方折込辺６と、遮蔽シート１の接続辺を接続する間隔遮蔽部に設けたスライドファスナー部７とを備えた。【選択図】  図１
0003112472.tif 000002
【実用新案登録請求の範囲】
【請求項１】
空調設備の振動発生機器同士又は振動発生機器とダクトとの間に複数の防振装置を介装して接続する接続部位の外周を覆う積合された少なくとも２枚の遮蔽シートであって、前記振動発生機器又はダクトの夫々の固定用枠体とボルトナットで固定される上方枠体と下方枠体との間に並設された略円柱状の複数の防振装置と、該複数の防振装置の外方の前記接続部位の間隔と前記上方枠体の側面と前記下方枠体の側面とを覆う積合された少なくとも２枚の遮蔽シートに設けた間隔遮蔽部と、該間隔遮蔽部の上辺に前記上方枠体の上面に折り込む上辺折込線を介して延設した一定幅の上方折込辺と、前記間隔遮蔽部の下辺に前記下方枠体の下面に折り込む下辺折込線を介して延設した一定幅の下方折込辺と、前記積合された少なくとも２枚の遮蔽シートの隣り合う接続辺を接続する間隔遮蔽部の側辺の全長に設けたスライドファスナー部と、を備えたことを特徴とする空調設備用遮蔽シート。
【請求項２】
前記積合された少なくとも２枚の遮蔽シートの間の内側の遮蔽シートの水平方向に補強用ピアノ線を配設したことを特徴とする請求項１に記載の空調設備用遮蔽シート。
【考案の詳細な説明】
【技術分野】
【０００１】  本考案は空調設備の振動発生機器を接続する接続部位の遮蔽シートに関するものであり、更に詳細には、空調設備の空調部や送風部等の振動発生機器同士、又は、前記振動発生機器とダクトを接続する接続部位の遮蔽シートに関するものである。
【背景技術】
【０００２】  従来、これらのビル等に設置された空調設備は空調部や送風部等の振動発生機器から振動や騒音が発生することから、空調設備を設置するときには予め振動発生機器の接続部位に間隔を開けて、その間隔に複数の防振装置を介装して接続する様に設計されており、その複数の防振装置を介装した間隔から、熱や排気、騒音が漏れないように且つ空調設備に水や埃が入らないように外側を囲うように遮蔽シートで覆っているが、これらの作業は現場に合わせて振動発生機器の接続部位の間隔の幅や防振装置のサイズや並設する個数を決めていることから、現場毎に一定でなく現場の寸法に合わせて手作業で遮蔽シートを巻き付けているのが実情であるが、気密性を保持させると共に外観形状を美しく仕上げるのは至難の業で、長年の経験を必要とするものである。【０００３】  その為に、例えば、空調装置の冷却部（１０）と、それと隣接して配される送風部（１１）との間の振動伝達を抑制する装置である。送風部（１１）の冷却部側端部に取り付けられる第１の枠体（１）と、冷却部（１０）の送風部側端部に取り付けられる第２の枠体（２）と、第１の枠体（１）と第２の枠体（２）との間に配されて両者間の振動の伝達を抑制する防振材（２０）と、第１の枠体（１）と第２の枠体（２）との間に配され冷却部（１０）と送風部（１１）との間の気密を保つための気密シート（３）を備える。気密シート（３）はシート固定手段（４ａ），（４ｂ）により第１の枠体（１）の送風部（１１）と対向する面及び第２の枠体（２）の冷却部（１０）と対向する面に固定されているもの（特許文献１参照）や、シート状の被覆部材５の一面側に帯状の断熱部材６を設けるとともに、被覆部材５の前記一面側に被覆部材５の他面に接着可能な接着部材１１を設けてなるもの（特許文献２参照）や、管の外表面に保温断熱材を層状に配設し、その保温断熱材の外側に熱収縮カバーを被覆し、その熱収縮カバーの外側の温度上昇により熱収縮カバーを熱収縮させて保温断熱材の外側を熱収縮カバーにより緊縮させた保温断熱材被覆管であり、そして、熱収縮カバーの外側に温風を送り込んで熱収縮カバーを熱収縮させることを特徴にした保温断熱材被覆管の製造方法であるもの（特許文献３参照）等が開示されている。
【特許文献１】登録実用新案３０６３４０７号公報
【特許文献２】特開平７−１１０１５８号公報
【特許文献３】特開平９−４７８６号公報
【考案の開示】
【考案が解決しようとする課題】
【０００４】  然し乍ら、空調装置の冷却部（１０）と、それと隣接して配される送風部（１１）との間の振動伝達を抑制する装置であり、送風部（１１）の冷却部側端部に取り付けられる第１の枠体（１）と、冷却部（１０）の送風部側端部に取り付けられる第２の枠体（２）と、第１の枠体（１）と第２の枠体（２）との間に配されて両者間の振動の伝達を抑制する防振材（２０）と、第１の枠体（１）と第２の枠体（２）との間に配され冷却部（１０）と送風部（１１）との間の気密を保つための気密シート（３）を備える。気密シート（３）はシート固定手段（４ａ），（４ｂ）により第１の枠体（１）の送風部（１１）と対向する面及び第２の枠体（２）の冷却部（１０）と対向する面に固定されているものでは、この種の接続部位の開口部は矩形状であり、長尺の気密シート（３）を捲回するように固定手段（４ａ），（４ｂ）で固定すると角部が重複してしまい気密シート（３）の外側の角部近傍が凸凹に成ったり、シワが発生して気密性を保つのが困難なものである。【０００５】  又、シート状の被覆部材５の一面側に帯状の断熱部材６を設けるとともに、被覆部材５の前記一面側に被覆部材５の他面に接着可能な接着部材１１を設けてなるものでは、被覆部材５を捲着させるもので直管と直管とを接続するには好適なものであるが、フランジ状の接続部を備えてボルトナットで強固な接続をするものや、屋上等の屋外では経時の使用では被覆部材５とダクトの間に雨や埃が侵入することから、空調設備の振動発生機器の接続部に用いるには不向きなものである。【０００６】  更に、管の外表面に保温断熱材を層状に配設し、その保温断熱材の外側に熱収縮カバーを被覆し、その熱収縮カバーの外側の温度上昇により熱収縮カバーを熱収縮させて保温断熱材の外側を熱収縮カバーにより緊縮させた保温断熱材被覆管であり、そして、熱収縮カバーの外側に温風を送り込んで熱収縮カバーを熱収縮させることを特徴にした保温断熱材被覆管の製造方法であるものでは、直管の外周に捲着させて保温断熱材として用いるには好適なものであるが、間隔を有した２部材間を接続するには不適当なものである。
【課題を解決するための手段】
【０００７】  本考案の空調設備用遮蔽シートは、前記課題に鑑み、鋭意研鑽の結果、空調設備の振動発生機器同士又は振動発生機器とダクトとの間に複数の防振装置を介装して接続する接続部位の外周を覆う積合された少なくとも２枚の遮蔽シートであって、振動発生機器又はダクトの固定用枠体とで固定される上方枠体と下方枠体との間に並設された複数の防振装置と、複数の防振装置の外方の接続部位の間隔と上方枠体の側面と下方枠体の側面とを覆う積合された少なくとも２枚の遮蔽シートに設けた間隔遮蔽部と、間隔遮蔽部の上辺に上方枠体の上面に折り込む上辺折込線を介して延設した上方折込辺と、間隔遮蔽部の下辺に下方枠体の下面に折り込む下辺折込線を介して延設した下方折込辺と、積合された少なくとも２枚の遮蔽シートの隣り合う接続辺を接続する間隔遮蔽部の側辺の全長に設けたスライドファスナー部と、を備えたものであり、積合された少なくとも２枚の遮蔽シートの間の内側の遮蔽シートの水平方向に補強用ピアノ線を配設したものである。
【考案の効果】
【０００８】  本考案の空調設備用遮蔽シートは、積合された少なくとも２枚の遮蔽シートの間隔遮蔽部を振動発生機器同士又は振動発生機器とダクトとの間の接続部位の間隔の幅に形成し、シート本体部の上辺と下辺とに一定幅の折込辺を延設した帯状の遮蔽シートを形成し、間隔遮蔽部の側辺の全長に隣り合う遮蔽シートを接続するスライドファスナー部を設け、遮蔽シートの折込辺を折込ながら捲着させるように装着するものであり、隣り合う遮蔽シートの接続辺をスライドファスナー部により接続することから、現場の状況によって容易に変更ができ、且つ、誰でもが容易に外観に凹凸やシワを作ることなく施工できるもので、極めて画期的な考案である。
【考案を実施するための最良の形態】
【０００９】  本考案は空調設備の振動発生機器を接続する接続部位の遮蔽シートに関するものであり、更に詳細には、空調設備の空調部や送風部等の振動発生機器同士、又は、前記振動発生機器とダクトを接続する接続部位の遮蔽シートに関するものであり、請求項１に記載の空調設備用遮蔽シートは、空調設備の振動発生機器Ａ同士又は振動発生機器Ａとダクトとの間に複数の防振装置Ｂを介装して接続する接続部位の外周を覆う積合された少なくとも２枚の遮蔽シート１であって、前記振動発生機器Ａ又はダクトの夫々の固定用枠体ＡａとボルトナットＣで固定される上方枠体Ｄと下方枠体Ｅとの間に並設された略円柱状の複数の防振装置Ｂと、該複数の防振装置Ｂの外方の前記接続部位の間隔Ｆと前記上方枠体Ｄの側面Ｄａと前記下方枠体Ｅの側面Ｅａとを覆う積合された少なくとも２枚の遮蔽シート１に設けた間隔遮蔽部２と、該間隔遮蔽部２の上辺に前記上方枠体Ｄの上面Ｄｂに折り込む上辺折込線３を介して延設した一定幅の上方折込辺４と、前記間隔遮蔽部２の下辺に前記下方枠体Ｅの下面Ｅｂに折り込む下辺折込線５を介して延設した一定幅の下方折込辺６と、前記積合された少なくとも２枚の遮蔽シート１の隣り合う接続辺を接続する間隔遮蔽部２の側辺の全長に設けたスライドファスナー部７と、を備えたことを特徴とするものである。【００１０】  更に、請求項２に記載の空調設備用遮蔽シートは、請求項１に記載の空調設備用遮蔽シートにおいて、前記積合された少なくとも２枚の遮蔽シート１の間の内側の遮蔽シート１の水平方向に補強用ピアノ線８を配設したことを特徴とするものである。
【実施例】
【００１１】  以下、本考案の空調設備用遮蔽シートの実施例の図面を用いて詳細に説明すると、図１は本考案の空調設備用遮蔽シートの実施状態の側面説明図であり、図２は本考案の空調設備用遮蔽シートの実施例の要部の展開図であり、図３は本考案の空調設備用遮蔽シートの概要を説明する斜視図である。【００１２】  即ち、本考案の空調設備用遮蔽シートの実施状態は、空調設備の空調部や送風部等の振動発生機器Ａ同士又は振動発生機器Ａとダクトとを間隔Ｆを有して接続する接続部位の外周を覆うものであり、図１に図示するものは、空調設備の空調部と送風部とを接続する時の実施例である。【００１３】  そして、空調部と送風部とに夫々振動発生機器Ａに設けられた夫々の固定用枠体Ａａに上方枠体Ｄと下方枠体Ｅは夫々ボルトナットＣで固定されるもので、上方枠体Ｄと下方枠体Ｅは接続部位の開口の大きさに合致させた断面コ字状のチャンネルを矩形状に溶着等の手段によって組設し、コ字状を向かい合わせた状態でその間に複数個の防振装置Ｂを並べて介装するものである。【００１４】  次いで、防振装置Ｂは例えば金属製のコイルスプリングの上下から入れ子式に嵌合する金属製又は合成樹脂製のキャップを被せた略円筒状のもので、振動をコイルスプリングで吸収させるようにしたものであり、現場の振動発生機器Ａの大きさや接続部位の間隔Ｆ等を勘案して適宜に決定して接続部位の開口を取り囲むように複数個並設するものである。【００１５】  そして、遮蔽シート１は少なくとも２枚の耐水性、防塵性、耐腐食性等を備えた合成樹脂等の平坦状の遮蔽シート１を積合させるものであり、実施例では２枚の遮蔽シート１で実施したもので、外側の遮蔽シート１にゆとりを持たせて
空隙部Ｚを作り、２枚の遮蔽シート１の間の空隙部Ｚを遮温性、防音性等を図るため空気層としたり、グラスウール等の遮温材、防音材等を充填することも可能なものである。【００１６】  次に、遮蔽シート１の間隔遮蔽部２は図１に図示するように上方枠体Ｄの側面Ｄａと接続部位の間隔Ｆと下方枠体Ｅの側面Ｅａとを覆う幅を有したものであり、後述する上方折込辺４と下方折込辺６とを上下に延設するもので、遮蔽シート１の大半のスペースを占める帯状のものである。【００１７】  更に、上方折込辺４は間隔遮蔽部２の上辺に一定幅を有して上方折込線３を介して延設させたものであり、接続部位を覆うときに上方枠体Ｄの上面Ｄｂに折り込み振動発生機器Ａ又はダクトの固定用枠体Ａａとの間に挟着されるものである。【００１８】  更には、下方折込辺６は間隔遮蔽部２の下辺に一定幅を有して下方折込線６を介して延設させたものであり、接続部位を覆うときに下方枠体Ｅの上面Ｅｂに折り込み振動発生機器Ａ又はダクトの固定用枠体Ａａとの間に挟着されるものである。【００１９】  次いで、スライドファスナー部７は周知のもので長手方向に分離させて接続を解除できるもので、金属又は樹脂で形成された噛合部と、該噛合部を固定した長い布製の基端部から成り、該基端部を間隔遮蔽部２の側辺の全長の長さに合わせて縫着、溶着等の手段で固定しているものであり、隣り合う遮蔽シート１の間隔遮蔽部２の側辺つまり接続辺を接続するもので、スライドファスナー部７は接続部位の各コーナーに位置させても、平坦面に位置させて接続させても構わないものである。【００２０】  そして、本考案の空調設備用遮蔽シートは、予め、設計図により２枚の遮蔽シート１を積合させて切断し、周辺を縫着や溶着、接着等の手段により工場等で製作するものであるが、現場により夫々の空調設備の空調部や送風機、ダクトの設置状況が相違しており、現地での修正や変更が頻繁に行われるものである。【００２１】  つまり、本考案の空調設備用遮蔽シートの積合された２枚の遮蔽シート１を用いて接続部位を覆うには、接続部位の間隔Ｆと上方枠体Ｄの側面Ｄａと下方枠体Ｅの側面Ｅａとにあてがって、上方折込辺４と下方折込辺６とを上方折込線３と下方折込線５とを折曲させて上方枠体Ｄと下方枠体Ｅとの上面Ｄｂ又は下面Ｅｂに折り込むものである。【００２２】  更に、接続部位のコーナーでは上方折込辺４又は下方折込辺６は折り曲げた状態で重なり合う状態と成りシワや歪みの原因となるので、Ｖ字状にカットして、予め折り曲げ、縁部を縫着、溶着することにより、図３に図示するように、平坦状に成り気密が保てるものである。【００２３】  次いで、間隔遮蔽部２の側辺の全長に設けたスライドファスナー部７で隣り合う遮蔽シート１を接続するものであるが、長い遮蔽シート１を形成して接続部位を一周させてスライドファスナー部７を一カ所としても、複数に分割して搬送や作業が容易になるようにして複数のスライドファスナー部７を設けても構わないものである。【００２４】  更に、補強用ピアノ線８は遮蔽シート１を気圧の変化による衝撃から守るために水平方向に少なくとも１本は配設されており、スライドファスナー部７で隣り合う遮蔽シート１を接続する際に補強用ピアノ線８の接続も行うものである。【００２５】  そして、実際の施工は現場の状況によって夫々大きく相違することが頻繁で、現場で状況に合わせて上下や左右を切断して、その接続辺にスライドファスナー部７を縫着、溶着等の手段で取り付けて、臨機応変に接続することを可能としたものである。
【産業上の利用可能性】
【００２６】  本考案の空調設備用遮蔽シートは、振動発生機器同士又は振動発生機器とダクトとの間の接続部位を覆うもので、隣り合う遮蔽シートを接続するスライドファスナー部を設けたことにより、現場の状況によって変更が出ても容易に対処でき、誰でもが容易に外観に凹凸やシワを作ることなく気密性を保持させる施工ができる空調設備用遮蔽シートを提供するものである。
【図面の簡単な説明】
【００２７】
【図１】  図１は本考案の空調設備用遮蔽シートの実施状態の側面説明図である。
【図２】  図２は本考案の空調設備用遮蔽シートの実施例の要部の展開図である。
【図３】  図３は本考案の空調設備用遮蔽シートの実施例の概要を説明する斜視図である。
【符号の説明】
【００２８】Ａ      振動発生機器
Ａａ    固定用枠体
Ｂ      防振装置
Ｃ      ボルトナット
Ｄ      上方枠体
Ｄａ    側面
Ｄｂ    上面
Ｅ      下方枠体
Ｅａ    側面
Ｅｂ    下面
Ｆ      間隔
１      遮蔽シート
２      間隔遮蔽部
３      上辺折込線
４      上方折込辺
５      下辺折込線
６      下方折込辺
７      スライドファスナー部
８      補強用ピアノ線
Ｚ      空隙部
【図１】
0003112472.tif 000003
【図２】
0003112472.tif 000004
【図３】
0003112472.tif 000005